(57)【要約】【課題】放送される映像情報に含まれるＰＰ広告対象等の表示物の関連情報を必要に応じて表示させることを可能とする表示装置、集計システム、情報提供システム等を提供する。【解決手段】放送局から放送された映像情報を受信する受信手段と、当該映像情報を表示する表示手段と、を備える表示装置であって、前記放送された映像情報に含まれる任意の表示物の少なくとも関連情報、表示位置及び表示されるべき時間を示す情報を含む表示物情報を記憶する記憶手段と、前記表示された映像情報上において、ユーザにより入力手段を介して指定された任意の位置及び当該位置が指定された時間を検出する検出手段と、前記検出された位置及び時間に対応する前記表示物を、前記記憶された表示物情報から検索する検索手段と、前記検索された表示物の前記関連情報を前記表示手段により表示させる表示制御手段と、を更に備える。【選択図】図６
2007096866.tif 000002
【特許請求の範囲】
【請求項１】
放送局から放送された映像情報を受信する受信手段と、当該映像情報を表示する表示手段と、を備える表示装置であって、
前記放送された映像情報に含まれる任意の表示物の少なくとも関連情報、表示位置及び表示されるべき時間を示す情報を含む表示物情報を記憶する記憶手段と、
前記表示された映像情報上において、ユーザにより入力手段を介して指定された任意の位置及び当該位置が指定された時間を検出する検出手段と、
前記検出された位置及び時間に対応する前記表示物を、前記記憶された表示物情報から検索する検索手段と、
前記検索された表示物の前記関連情報を前記表示手段により表示させる表示制御手段と、
を更に備えることを特徴とする表示装置。
【請求項２】
請求項１に記載の表示装置において、
前記関連情報は、前記放送局により放送され、
前記受信手段は、前記放送された関連情報を受信し、
前記記憶手段は、前記受信された関連情報を記憶すること、
を特徴とする表示装置。
【請求項３】
請求項１または請求項２に記載の表示装置に含まれるコンピュータを、
前記検出手段、前記検索手段及び前記表示制御手段として機能させることを特徴とする表示処理プログラム。
【請求項４】
放送局から放送された映像情報を受信する受信手段と、当該映像情報を表示する表示手段と、を備える表示装置における表示方法であって、
前記放送された映像情報に含まれる任意の表示物の少なくとも関連情報、表示位置及び表示されるべき時間を示す情報を含む表示物情報を記憶する記憶工程と、
前記表示された映像情報上において、ユーザにより入力手段を介して指定された任意の位置及び当該位置が指定された時間を検出する検出工程と、
前記検出された位置及び時間に対応する前記表示物を、前記記憶された表示物情報から検索する検索工程と、
前記検索された表示物の前記関連情報を前記表示手段により表示させる表示制御工程と、
を備えることを特徴とする表示方法。
【請求項５】
請求項１または請求項２に記載の表示装置と、前記表示装置がネットワークを介して接続可能な集計サーバと、を備える集計システムであって、
前記表示装置は、
前記検索手段により検索された表示物が、前記ユーザにより指定されたことを示す指定物情報を前記集計サーバに送信する送信手段を更に備え、
前記集計サーバは、
前記表示装置により送信された指定物情報を受信する受信手段と、
前記受信された指定物情報に基づき、前記表示物の指定回数を集計する集計手段と、
を備えることを特徴とする集計システム。
【請求項６】
請求項５に記載の集計システムに含まれる集計サーバであって、
前記受信手段及び前記集計手段を備えることを特徴とする集計サーバ。
【請求項７】
コンピュータを、請求項６に記載の集計サーバとして機能させることを特徴とする集計処理プログラム。
【請求項８】
放送局から放送された映像情報を受信する受信手段及び当該映像情報を表示する表示手段を備える表示装置と、前記表示装置がネットワークを介して接続可能な集計サーバと、を備える集計システムにおける集計方法であって、
前記表示装置が、前記放送された映像情報に含まれる任意の表示物の少なくとも関連情報、表示位置及び表示されるべき時間を示す情報を含む表示物情報を記憶し、前記表示された映像情報上において、ユーザにより入力手段を介して指定された任意の位置及び当該位置が指定された時間を検出し、前記検出された位置及び時間に対応する前記表示物を、前記記憶された表示物情報から検索し、前記検索された表示物の前記関連情報を表示し、前記検索された表示物が、前記ユーザにより指定されたことを示す指定物情報を前記集計サーバに送信する工程と、
前記集計サーバが、前記表示装置により送信された指定物情報を受信し、前記受信された指定物情報に基づき、前記表示物の指定回数を集計する工程と、
を備えることを特徴とする集計方法。
【請求項９】
放送局から放送された映像情報を受信する受信手段及び前記映像情報を表示する表示手段を備える表示装置と、前記表示装置が第１ネットワークを介して接続可能な提供要求サーバと、前記提供要求サーバが第２ネットワークを介して接続可能な情報提供サーバと、を備える情報提供システムであって、
前記表示装置は、
前記放送された映像情報に含まれる任意の表示物の少なくとも表示位置及び表示されるべき時間を示す情報を含む表示物情報を記憶する記憶手段と、
前記表示された映像情報上において、ユーザにより入力手段を介して指定された任意の位置及び当該位置が指定された時間を検出する検出手段と、
前記検出された位置及び時間に対応する前記表示物を、前記記憶された表示物情報から検索する検索手段と、
前記検索された表示物が、前記ユーザにより指定されたことを示す指定物情報を前記集計サーバに送信する送信手段と、を更に備え、
前記提供要求サーバは、
前記表示装置により送信された指定物情報を受信する受信手段と、
前記指定物情報に基づいて、前記表示物の関連情報の提供要求を示す要求情報を送信する送信手段と、を備え、
前記情報提供サーバは、
前記関連情報を前記表示物に対応付けて記憶する記憶手段と、
前記提供要求サーバにより送信された要求情報を受信する受信手段と、
前記受信された要求情報に基づいて、前記表示装置により検索された表示物に対応する前記関連情報を前記記憶手段から取得する取得手段と、
前記取得された関連情報を前記ユーザが利用する端末装置に提供する提供手段と、
を備えることを特徴とする情報提供システム。
【請求項１０】
請求項９に記載の表示システムにおいて、
前記関連情報は、前記放送局により放送され、
前記表示装置の前記受信手段は、前記放送された関連情報を受信し、
前記表示装置の前記記憶手段は、前記受信された関連情報を記憶すること、
を特徴とする表示装置。
【請求項１１】
請求項９または請求項１０に記載の情報提供システムにおいて、
前記表示装置は、
前記検索手段により検索された表示物が、前記ユーザにより指定されたことを示す指定物情報を前記集計サーバに送信する送信手段を更に備え、
前記提供要求サーバは、
前記表示装置により送信された指定物情報を受信する受信手段と、
前記受信された指定物情報に基づき、前記表示物の指定回数を集計する集計手段と、
を備えることを特徴とする情報提供システム。
【請求項１２】
請求項９乃至１１のいずれか１項に記載の情報提供システムに含まれる表示装置であって、
前記受信手段、前記表示手段、前記記憶手段、前記検出手段、前記検索手段及び前記送信手段を備えることを特徴とする表示装置。
【請求項１３】
請求項９乃至１１のいずれか１項に記載の情報提供システムに含まれる提供要求サーバであって、
前記受信手段及び前記送信手段を備えることを特徴とする提供要求サーバ。
【請求項１４】
請求項９乃至１１のいずれか１項に記載の情報提供システムに含まれる情報提供サーバであって、
前記受信手段、前記取得手段及び前記提供手段を備えることを特徴とする情報提供サーバ。
【請求項１５】
請求項１２に記載の表示装置に含まれるコンピュータを、
前記検出手段、前記検索手段及び前記送信手段として機能させることを特徴とする表示処理プログラム。
【請求項１６】
コンピュータを、請求項１３に記載の提供要求サーバとして機能させることを特徴とする提供要求処理プログラム。
【請求項１７】
コンピュータを、請求項１４に記載の情報提供サーバとして機能させることを特徴とする情報提供処理プログラム。
【請求項１８】
放送局から放送された映像情報を受信する受信手段及び前記映像情報を表示する表示手段を備える表示装置と、前記表示装置が第１ネットワークを介して接続可能な提供要求サーバと、前記提供要求サーバが第２ネットワークを介して接続可能な情報提供サーバと、を備える情報提供システムにおける情報提供方法であって、
前記表示装置が、前記放送された映像情報に含まれる任意の表示物の少なくとも表示位置及び表示されるべき時間を示す情報を含む表示物情報を記憶し、前記表示された映像情報上において、ユーザにより入力手段を介して指定された任意の位置及び当該位置が指定された時間を検出し、前記検出された位置及び時間に対応する前記表示物を、前記記憶された表示物情報から検索し、前記検索された表示物が、前記ユーザにより指定されたことを示す指定物情報を前記集計サーバに送信する工程と、
前記提供要求サーバが、前記表示装置により送信された指定物情報を受信し、前記指定物情報に基づいて、前記表示物の関連情報の提供要求を示す要求情報を送信する工程と、
前記情報提供サーバが、前記関連情報を前記表示物に対応付けて記憶し、前記提供要求サーバにより送信された要求情報を受信し、前記受信された要求情報に基づいて、前記表示装置により検索された表示物に対応する前記関連情報を前記記憶手段から取得し、前記取得された関連情報を前記ユーザが利用する端末装置に提供する工程と、
を備えることを特徴とする情報提供方法。
【発明の詳細な説明】
【技術分野】
【０００１】
本発明は、放送局から放送された映像情報を受信する受信手段と、当該映像情報を表示する表示手段と、を備える表示装置等の技術分野に関する。
【背景技術】
【０００２】
近年、テレビ放送サービスは、アナログ方式からＢＳ（Broadcasting Satellite）、１１０度ＣＳ（Communications Satellite）、地上デジタル等のデジタル方式のサービスへと移行し始めており、デジタル放送は高品質な映像に加え、データ放送サービスも実施されている。
【０００３】
データ放送においては、通常の放送番組の映像や音声の他に、テキスト、メニュー、画像等のデータ及びこれらのデータを制御するＢＭＬ（Broadcast Markup Language）テキストを、放送局において多重化して送信し、これを受信したデジタルチューナー等の受信機が、ＢＭＬテキストの記述に従い、これらのデータをテレビ画面に表示する。
【０００４】
ＢＭＬは、ＸＭＬ（eXtensible Markup Language）をベースとしてデータ放送用に特化された記述言語である。ＢＭＬテキスト中には、ＥＣＭＡＳｃｒｉｐｔ（European Computer Manufacturers Association Script）と呼ばれるスクリプト言語による手続きを記述することが可能であり、これにより、データ放送において、動的なコンテンツの提供が可能となっている。
【０００５】
本願の出願人は、このＢＭＬを用いた技術として、リモコン操作によりデータ放送の表示画面上における特定の場所を自由に指定可能とする画像位置選択方法の特許出願を行っている（特許文献１）。
【特許文献１】特開２００４−２６０４０７号公報
【発明の開示】
【発明が解決しようとする課題】
【０００６】
ところで、テレビ放送における広告としては、放送番組の合間等にＣＭ（Commercial Message）を放送する手法が一般的であるが、近年においては、放送するドラマや映画等の映像中にスポンサー企業の商品等を意図的に露出させ、それを見た視聴者の反応や口コミ等による宣伝効果を狙うプロダクト・プレースメント（以下ＰＰと称する。）広告が利用されるケースが増加している。
【０００７】
ＨＤＤ（Hard Disk Drive）レコーダ、ＤＶＤ（Digital Versatile Disk）レコーダ等のデジタル録画機器が普及しつつある今日においては、これらの機器のＣＭカットやスキップ等の機能により、ＣＭが視聴されなくなる傾向が強くなってきているが、ＰＰ広告による広告手法であれば、高い確率でスポンサー企業の商品等をアピールできる可能性がある。
【０００８】
このようなＰＰ広告が、テレビ放送を通じて視聴者の目に触れる機会は確実に増加してきており、特に今後デジタル放送が普及拡大し、高品質な映像でこれらのコンテンツを放送番組として視聴する機会も増えると考えられる。
【０００９】
しかし、視聴者としては、ＰＰ広告を認識したとしても、その対象商品等についての情報を、別途視聴者自身がインターネットや書籍等で調べる必要があり、煩雑である。その一方で、例えば、テロップや字幕等で一律に対象商品等の情報を表示するようにしてしまうと、放送されるドラマや映画等の雰囲気を壊しかねず、現実的ではない。
【００１０】
また、ＰＰ広告を含む放送番組を視聴したとしても、放送映像中に映しだされるＰＰ広告が視聴者により認識されたか否かは、各視聴者の視点で異なるものであり、その宣伝効果は上述したように口コミ等であることから、どれだけの宣伝効果が得られたのかを数量的に計測することは困難である。
【００１１】
本発明は、以上の点に鑑みてなされたものであり、放送される映像情報に含まれるＰＰ広告対象等の表示物の関連情報を必要に応じて表示させることを可能とする表示装置、集計システム、情報提供システム等を提供することを目的とする。
【課題を解決するための手段】
【００１２】
上記課題を解決するために、請求項１に記載の発明は、放送局から放送された映像情報を受信する受信手段と、当該映像情報を表示する表示手段と、を備える表示装置であって、前記放送された映像情報に含まれる任意の表示物の少なくとも関連情報、表示位置及び表示されるべき時間を示す情報を含む表示物情報を記憶する記憶手段と、前記表示された映像情報上において、ユーザにより入力手段を介して指定された任意の位置及び当該位置が指定された時間を検出する検出手段と、前記検出された位置及び時間に対応する前記表示物を、前記記憶された表示物情報から検索する検索手段と、を更に備え、前記検索された表示物の前記関連情報を前記表示手段により表示させる表示制御手段と、を備えることを特徴とする。
【００１３】
請求項２に記載の発明は、請求項１または請求項２に記載の表示装置に含まれるコンピュータを、前記検出手段、前記検索手段及び前記表示制御手段として機能させることを特徴とする。
【００１４】
請求項３に記載の発明は、放送局から放送された映像情報を受信する受信手段と、当該映像情報を表示する表示手段と、を備える表示装置における表示方法であって、前記放送された映像情報に含まれる任意の表示物の少なくとも関連情報、表示位置及び表示されるべき時間を示す情報を含む表示物情報を記憶する記憶工程と、前記表示された映像情報上において、ユーザにより入力手段を介して指定された任意の位置及び当該位置が指定された時間を検出する検出工程と、前記検出された位置及び時間に対応する前記表示物を、前記記憶された表示物情報から検索する検索工程と、前記検索された表示物の前記関連情報を表示する表示工程と、を備えることを特徴とする。
【００１５】
請求項４に記載の発明は、請求項１または請求項２に記載の表示装置と、前記表示装置がネットワークを介して接続可能な集計サーバと、を備える集計システムであって、前記表示装置は、前記検索手段により検索された表示物が、前記ユーザにより指定されたことを示す指定物情報を前記集計サーバに送信する送信手段を更に備え、前記集計サーバは、前記表示装置により送信された指定物情報を受信する受信手段と、前記受信された指定物情報に基づき、前記表示物の指定回数を集計する集計手段と、を備えることを特徴とする。
【００１６】
請求項５に記載の発明は、請求項４に記載の集計システムに含まれる集計サーバであって、前記受信手段及び前記集計手段を備えることを特徴とする。
【００１７】
請求項６に記載の発明は、コンピュータを、請求項５に記載の集計サーバとして機能させることを特徴とする。
【００１８】
請求項７に記載の発明は、放送局から放送された映像情報を受信する受信手段及び当該映像情報を表示する表示手段を備える表示装置と、前記表示装置がネットワークを介して接続可能な集計サーバと、を備える集計システムにおける集計方法であって、前記表示装置が、前記放送された映像情報に含まれる任意の表示物の少なくとも関連情報、表示位置及び表示されるべき時間を示す情報を含む表示物情報を記憶し、前記表示された映像情報上において、ユーザにより入力手段を介して指定された任意の位置及び当該位置が指定された時間を検出し、前記検出された位置及び時間に対応する前記表示物を、前記記憶された表示物情報から検索し、前記検索された表示物の前記関連情報を表示し、前記検索された表示物が、前記ユーザにより指定されたことを示す指定物情報を前記集計サーバに送信する工程と、前記集計サーバが、前記表示装置により送信された指定物情報を受信し、前記受信された指定物情報に基づき、前記表示物の指定回数を集計する工程と、を備えることを特徴とする。
【００１９】
請求項８に記載の発明は、放送局から放送された映像情報を受信する受信手段及び前記映像情報を表示する表示手段を備える表示装置と、前記表示装置が第１ネットワークを介して接続可能な提供要求サーバと、前記提供要求サーバが第２ネットワークを介して接続可能な情報提供サーバと、を備える情報提供システムであって、前記表示装置は、前記放送された映像情報に含まれる任意の表示物の少なくとも表示位置及び表示されるべき時間を示す情報を含む表示物情報を記憶する記憶手段と、前記表示された映像情報上において、ユーザにより入力手段を介して指定された任意の位置及び当該位置が指定された時間を検出する検出手段と、前記検出された位置及び時間に対応する前記表示物を、前記記憶された表示物情報から検索する検索手段と、前記検索された表示物が、前記ユーザにより指定されたことを示す指定物情報を前記集計サーバに送信する送信手段と、を更に備え、前記提供要求サーバは、前記表示装置により送信された指定物情報を受信する受信手段と、
前記指定物情報に基づいて、前記表示物の関連情報の提供要求を示す要求情報を送信する送信手段と、を備え、前記情報提供サーバは、前記関連情報を前記表示物に対応付けて記憶する記憶手段と、前記提供要求サーバにより送信された要求情報を受信する受信手段と、前記受信された要求情報に基づいて、前記表示装置により検索された表示物に対応する前記関連情報を前記記憶手段から取得する取得手段と、前記取得された関連情報を前記ユーザが利用する端末装置に提供する提供手段と、を備えることを特徴とする。
【００２０】
請求項９に記載の発明は、請求項８に記載の情報提供システムにおいて、前記表示装置は、前記検索手段により検索された表示物が、前記ユーザにより指定されたことを示す指定物情報を前記集計サーバに送信する送信手段を更に備え、前記提供要求サーバは、前記表示装置により送信された指定物情報を受信する受信手段と、前記受信された指定物情報に基づき、前記表示物の指定回数を集計する集計手段と、を備えることを特徴とする。
【００２１】
請求項１０に記載の発明は、請求項８または請求項９に記載の情報提供システムに含まれる表示装置であって、前記受信手段、前記表示手段、前記記憶手段、前記検出手段、前記検索手段及び前記送信手段を備えることを特徴とする。
【００２２】
請求項１１に記載の発明は、請求項８または請求項９に記載の情報提供システムに含まれる提供要求サーバであって、前記受信手段及び前記送信手段を備えることを特徴とする。
【００２３】
請求項１２に記載の発明は、請求項８または請求項９に記載の情報提供システムに含まれる情報提供サーバであって、前記受信手段、前記取得手段及び前記提供手段を備えることを特徴とする。
【００２４】
請求項１３に記載の発明は、請求項１０に記載の表示装置に含まれるコンピュータを、前記検出手段、前記検索手段及び前記送信手段として機能させることを特徴とする。
【００２５】
請求項１４に記載の発明は、コンピュータを、請求項１１に記載の提供要求サーバとして機能させることを特徴とする。
【００２６】
請求項１５に記載の発明は、コンピュータを、請求項１２に記載の情報提供サーバとして機能させることを特徴とする情報提供処理プログラム。
【００２７】
請求項１６に記載の発明は、放送局から放送された映像情報を受信する受信手段及び前記映像情報を表示する表示手段を備える表示装置と、前記表示装置が第１ネットワークを介して接続可能な提供要求サーバと、前記提供要求サーバが第２ネットワークを介して接続可能な情報提供サーバと、を備える情報提供システムにおける情報提供方法であって、前記表示装置が、前記放送された映像情報に含まれる任意の表示物の少なくとも表示位置及び表示されるべき時間を示す情報を含む表示物情報を記憶し、前記表示された映像情報上において、ユーザにより入力手段を介して指定された任意の位置及び当該位置が指定された時間を検出し、前記検出された位置及び時間に対応する前記表示物を、前記記憶された表示物情報から検索し、前記検索された表示物が、前記ユーザにより指定されたことを示す指定物情報を前記集計サーバに送信する工程と、前記提供要求サーバが、前記表示装置により送信された指定物情報を受信し、前記指定物情報に基づいて、前記表示物の関連情報の提供要求を示す要求情報を送信する工程と、前記情報提供サーバが、前記関連情報を前記表示物に対応付けて記憶し、前記提供要求サーバにより送信された要求情報を受信し、前記受信された要求情報に基づいて、前記表示装置により検索された表示物に対応する前記関連情報を前記記憶手段から取得し、前記取得された関連情報を前記ユーザが利用する端末装置に提供する工程と、を備えることを特徴とする。
【発明の効果】
【００２８】
本発明によれば、放送された映像情報上に映し出されている任意の表示物をユーザにより指定可能となり、その指定をしたときに、指定した表示物の関連情報が表示されるので、表示物の関連情報を必要に応じて表示することが可能となる。
【発明を実施するための最良の形態】
【００２９】
［１．第１実施形態］
以下、図面を参照して本発明の最良の実施形態について詳細に説明するが、はじめに、衛星デジタルテレビ放送におけるＰＰ広告の対象商品のアクセス数集計システムに対して本願発明を適用した場合の実施形態について説明する。
【００３０】
［１．１  アクセス数集計システムＳの構成及び機能概要］
先ず、本実施形態に係るアクセス数集計システムＳの構成及び機能概要等について説明する。
【００３１】
図１は、第１実施形態に係るアクセス数集計システムＳの概要構成の一例を示す図である。
【００３２】
図１に示すように、アクセス数集計システムＳは、放送局ＢＣと、表示装置としての受信機ＤＲ及びテレビモニタＴＶと、集計サーバとしてのアクセス数集計サーバＴＳと、により構成されており、放送局ＢＣから放送される本線放送及びデータ放送の映像は、放送衛星ＳＴを介して受信機ＤＲに受信され、テレビモニタＴＶの画面に表示される。
【００３３】
また、受信機ＤＲ及びアクセス数集計サーバＴＳは、ネットワークＮＷに接続されており、これらは、例えば、通信プロトコルにＴＣＰ／ＩＰ（Transmission Control Protocol/Internet Protocol）を用いて、相互にデータの送受信が可能である。
【００３４】
本システムにおいては、テレビモニタＴＶの画面に表示されたＰＰ広告の対象商品（本発明に係る表示物の一例）がユーザにより指定されると、受信機ＤＲにより、その結果がネットワークＮＷを介してアクセス数集計サーバＴＳに送信され、その結果が集計されるようになっている。
【００３５】
なお、ネットワークＮＷは、例えば、インターネット、公衆回線網、移動体通信回線網、専用回線（例えば、ＣＡＴＶ（Community Antenna Television））等を含んで構成されている。
【００３６】
［１．２  放送局ＢＣの構成及び機能等］
次に、放送局ＢＣの構成及び機能等について説明する。
【００３７】
図２は、第１実施形態に係る放送局ＢＣの概要構成の一例を示すブロック図であり、図３は、ＰＰ広告商品情報の内容の一例を示す図である。
【００３８】
図２に示すように、放送局ＢＣは、映像音声データ制作装置１と、映像音声データエンコーダ２と、データ放送制作装置３と、データ放送エンコーダ４と、多重化装置５と、変調装置６と、送信装置７と、により構成されている。
【００３９】
映像音声データ制作装置１は、図示しないテレビカメラや映像音声データサーバ等から送出されたデジタル化された映像データ、音声データ等からなる本線放送の番組データを記憶しており、所定の放送プログラムに従って、番組データを映像音声データエンコーダ２に供給する。
【００４０】
映像音声データエンコーダ２は、映像音声データ制作装置１から供給された映像データ及び音声データを、例えば、夫々ＭＰＥＧ２（Motion Picture Experts Group 2）ビデオ及びＭＰＥＧ２オーディオに従って圧縮符号化してＰＥＳ（Packetized Elementary Stream）形式の映像音声ストリームを生成し、これを多重化装置５に供給する。
【００４１】
データ放送制作装置３は、番組制作者等により制作されたデータ放送用のコンテンツデータを記憶している。コンテンツデータは、テキストデータ、画像データ、ＢＭＬテキストデータ等の各種データにより構成されており、例えば、ＨＴＴＰ（Hypertext Transfer Protocol）／１．１のエンティティ形式に従って、これら各種データがコンテンツごとにまとめられている。そして、データ放送制作装置３は、このコンテンツデータをデータ放送エンコーダ４に供給する。
【００４２】
データ放送制作装置３においては、コンテンツデータを構成するデータとして、受信機ＤＲによるＰＰ広告対象商品の指定等を可能とするためのＰＰ広告用ＢＭＬテキスト（本発明に係る表示処理プログラムの一例）及びＰＰ広告商品情報（本発明に係る表示物情報の一例）が記憶されている。
【００４３】
ＰＰ広告用ＢＭＬテキストは、ＢＭＬで規定されているタグ及びＥＣＭＡＳｃｒｉｐｔにより記述されたＢＭＬテキストであり、これを受信した受信機ＤＲにより解釈実行される。
【００４４】
このテキストは、ＢＭＬのタグ記述またはスタイルシートの記述により、テレビモニタＴＶの画面上には表示されず、ＰＰ広告の本線映像のみが表示されるようになっている（例えば、本線映像の表示領域を画面全域に設定する、または、bodyタグの表示属性をinvisible（不可視）に設定する等）。
【００４５】
ＥＣＭＡＳｃｒｉｐｔのコード部分においては、受信機ＤＲを検出手段、検索手段、表示制御手段及び送信手段として機能させるようにプログラミングされており、ユーザによるテレビリモコンの操作により、テレビモニタＴＶの画面に表示された映像情報上における任意の位置を指定するためのスクリプトコードは、例えば、前記特許文献１に記載されたスクリプトが利用される。
【００４６】
ＰＰ広告商品情報は、図３に示すように、本線放送番組の映像データに含まれるＰＰ広告対象商品の商品名、出現開始時刻、出現終了時刻、表示位置（左、上、右、下）及び関連情報を含む商品ごとのレコードにより構成されているバイナリテーブルである。
【００４７】
出現開始時刻及び出現終了時刻は、夫々ＰＰ広告対象商品が本線放送の映像に出現する時刻と、出現が終了する時刻であり、番組開始時からの相対時刻で表現されている。表示位置（左、上、右、下）は、夫々本線放送の映像上に表示されるＰＰ広告対象商品の左上端の、横方向における座標、縦方向における座標、右下端の、横方向における座標、縦方向における座標を画素数（ｐｘ：ピクセル）で表した情報である。関連情報は、ＰＰ広告対象商品の関連情報であり、例えば、商品の紹介、詳細なデータ、価格、連絡先等である。
【００４８】
ＰＰ広告対象商品の映像が移動し、またはアングルの変更等により、その位置が時間の経過により変化するような場合には、例えば、表示位置（左、上、右、下）の情報のフィールドを増やすことにより対応しても良いし、同一商品について時間ごとにレコードを構成することにより対応しても良い。
【００４９】
ＰＰ広告商品情報は、例えば、本線放送番組の映像データに対応して、番組制作者等により予め作成される。
【００５０】
なお、ＰＰ広告商品情報は、バイナリテーブルではなく、例えば、ＣＳＶ（Comma Separated Value）形式で構成されても良いし、また、伝送効率は落ちるが、ＸＭＬ形式で構成されても良い。
【００５１】
また、ＰＰ広告用ＢＭＬテキスト及びＰＰ広告商品情報は、夫々本線放送の映像データと同期して放送されるようにしても良いし、予め事前に放送されるようにしても良い。また、ＰＰ広告用ＢＭＬテキスト及びＰＰ広告商品情報は、例えば、図示しないネットワークを介してサーバ等からダウンロードされるようにしても良い。
【００５２】
データ放送エンコーダ４は、データ放送制作装置３から供給されたコンテンツデータを圧縮符号化して、例えば、セクション形式のデータ放送ストリームを生成し、これをＤＳＭ−ＣＣ（Digital Storage Media Command and Control）データ・カルーセル伝送方式等に従い繰り返し多重化装置５に伝送する。
【００５３】
多重化装置５は、映像音声データエンコーダ２から供給された映像音声ストリーム及びデータ放送エンコーダ４から供給されたデータ放送ストリームを多重化することにより、トランスポートストリーム（ＭＰＥＧ２−ＴＳ（MPEG2-Transport Stream））を生成する。そして、必要に応じてスクランブル処理を行った後、このトランスポートストリームを変調装置６に供給する。
【００５４】
変調装置６は、多重化装置５から供給されたトランスポートストリームを、例えば、ＯＦＤＭ（Orthogonal Frequency Division Multiplexing）方式等で変調し、送信装置７に供給する。
【００５５】
送信装置７は、変調装置６により変調、供給されたトランスポートストリームを放送波信号として、放送衛星ＳＴに送信する。
【００５６】
［１．３  受信機ＤＲ及びテレビモニタＴＶの構成及び機能等］
次に、受信機ＤＲ及びテレビモニタＴＶの構成及び機能等について説明する。
【００５７】
図４は、第１実施形態に係る受信機ＤＲの概要構成の一例を示すブロック図である。
【００５８】
図４に示すように、受信機ＤＲは、同調復調部１１と、ＴＳデコーダ１２と、音声データデコーダ１３と、映像データデコーダ１４と、ＣＰＵ（Central Processing Unit）１５と、データ等を一時的に記憶するＲＡＭ（Random Access Memory）１６と、データ等（例えば、ＰＰ広告商品情報）を永続的に記憶するＮｖＲＡＭ（Non Volatile RAM）１７と、受信したデータ放送のコンテンツデータを一時的に記憶する作業用メモリ１８と、グラフィックコントローラ１９と、映像合成部２０と、入出力部２１と、モデム２２と、により構成されており、システムバス２３を介して相互に接続されている。
【００５９】
また、同調復調部１１は本実施形態に係る受信手段を構成し、ＣＰＵ１５は本実施形態に係る検出手段、検索手段、表示制御手段及び送信手段を構成し、ＲＡＭ１６、ＮｖＲＡＭ１７及び作業用メモリ１８は、本実施形態に係る記憶手段を構成し、入出力部２１は本実施形態に係る入力手段を構成する。
【００６０】
同調復調部１１は、放送衛星ＳＴ及びアンテナを介して放送局ＢＣから送信された放送波信号を受信し、この放送波信号から特定の番組に対応するトランスポートストリームを選択し、所定の復調方式により復調した後、このトランスポートストリームをＴＳデコーダ１２に供給する。
【００６１】
ＴＳデコーダ１２は、同調復調部１１から供給されたトランスポートストリームを個別のストリームに分離し、音声ストリームについては音声データデコーダ１３に、映像ストリームについては映像データデコーダ１４に、データ放送ストリームについてはＣＰＵ１５に夫々供給する。
【００６２】
音声データデコーダ１３は、ＴＳデコーダ１２から供給された音声ストリームを、ＭＰＥＧ２オーディオに従って復号し、音声信号としてテレビモニタＴＶに出力する。
【００６３】
映像データデコーダ１４は、ＴＳデコーダ１２から供給された映像ストリームを、ＭＰＥＧ２ビデオに従って復号し、映像信号として映像合成部２０に供給する。
【００６４】
ＣＰＵ１５は、チップ等に記憶された各種プログラムを読み出し実行することにより、受信機ＤＲの各部を統括制御する。また、ＣＰＵ１５は、ＴＳデコーダ１２から供給されたデータ放送ストリームを復号して、各種データに分離した後、ＰＰ広告用ＢＭＬテキスト等のＢＭＬテキスト及びＰＰ広告商品情報等のデータ放送のコンテンツ構成データを、作業用メモリ１８に記憶させる。そして、ＣＰＵ１５は、作業用メモリ１８に記憶されたＰＰ広告用ＢＭＬテキストを読み出し実行することにより、本実施形態に係る検出手段、検索手段、表示制御手段及び送信手段等として機能するようになっている。
【００６５】
具体的には、例えば、前記特許文献１に記載された画像位置選択方法により、ＣＰＵ１５が、テレビモニタＴＶの画面に表示された映像情報上における任意の位置を、ユーザのリモコン操作により指定させ、その位置と現在時刻とを検出する。
【００６６】
そして、ＣＰＵ１５は、検出された位置及び時刻に対応してテレビモニタＴＶの画面上に表示されている商品を、作業用メモリ１８に記憶されたＰＰ広告商品情報から検索する。
【００６７】
このとき、表示位置が対応するか否かは、指定位置の横方向の座標がＰＰ広告商品情報の表示位置（左）から表示位置（右）の範囲内にあるか否か、及び指定位置の縦方向の座標がＰＰ広告商品情報の表示位置（上）から表示位置（下）の範囲内にあるか否かで判定される。
【００６８】
また、表示時刻が対応するか否かは、現在時刻がＰＰ広告商品情報の出現開始時刻から出現終了時刻の範囲内にあるか否かで判定される。
【００６９】
対応する商品が検索されたら、ＣＰＵ１５は、その関連情報を、例えば、吹き出し状にしてテレビモニタＴＶの画面に表示させる。
【００７０】
また、ＣＰＵ１５は、検索された商品が視聴者により指定されたことを示す情報として、その商品名、現在時刻等を含むアクセス情報（本発明に係る指定物情報の一例）をＮｖＲＡＭ１７に記憶するとともに、モデム２２を介してアクセス数集計サーバＴＳに送信する。なお、アクセス情報中、現在時刻は必須の情報ではない。
【００７１】
グラフィックコントローラ１９は、ＣＰＵ１５での処理結果及び作業用メモリ１８に記憶された画像データ等を、ＢＭＬテキストの表示指定記述に基づいてデータ放送用の映像信号を生成し、これを映像合成部２０に供給する。
【００７２】
映像合成部２０は、映像データデコーダ１４から供給された本線放送の映像信号に対して、グラフィックコントローラ１９から供給されたデータ放送用の映像信号を重畳してテレビモニタＴＶに供給する。
【００７３】
入出力部２１は、図示しないテレビリモコンから送信された赤外線信号を受信する受光部等により構成されており、ユーザによるテレビリモコンの操作内容を示す指示信号をＣＰＵ１５に供給する。
【００７４】
モデム２２は、例えば、通信プロトコルにＰＰＰ（Point to Point Protocol）等を用いて、公衆回線網等を介してネットワークＮＷに接続し、ＴＣＰ／ＩＰ等によるアクセス数集計サーバＴＳとの通信状態を制御する。
【００７５】
表示手段としてのテレビモニタＴＶは、例えば、液晶パネル等からなる画面、スピーカ、映像処理回路、音声処理回路等により構成され、受信機ＤＲから出力された映像信号を画面に表示するとともに、受信機ＤＲから出力された音声信号をスピーカにより可聴周波数の音波として出力する。
【００７６】
［１．４  アクセス数集計サーバＴＳの構成及び機能等］
次に、アクセス数集計サーバＴＳの構成及び機能等について説明する。
【００７７】
図５は、第１実施形態に係るアクセス数集計サーバＴＳの概要構成の一例を示すブロック図である。
【００７８】
図５に示すようにアクセス数集計サーバＴＳは、ＣＰＵ、ＲＡＭ、ＲＯＭ等を備える制御部３１と、各種プログラム（例えば、集計処理プログラム等）及びデータ等を記憶する記憶部３２と、ネットワークＮＷに接続して受信機ＤＲとの通信状態を制御する通信部３３（例えば、ネットワークアダプタ等）と、を備え、システムバス３４を介して相互に接続されている。
【００７９】
記憶部３２は、集計ＤＢ（データベース）３２１を有している。集計ＤＢ３２１には、例えば、受信機ＤＲから送信されたアクセス情報が記録されるとともに、ＰＰ広告対象商品ごとに、集計されたアクセス数やアクセス率等の集計データが記録されている。
【００８０】
なお、集計ＤＢ３２１は、アクセス数集計サーバＴＳが直接備えるのではなく、ネットワークを介してアクセス数集計サーバＴＳに接続されたデータベースサーバに備えられていても良い。
【００８１】
制御部３１は、ＣＰＵが、ＲＯＭまたは記憶部３２に記憶された各種プログラムを読み出し実行することにより、アクセス数集計サーバＴＳの各部を統括制御するとともに、本実施形態に係る受信手段、集計手段等として機能するようになっている。
【００８２】
具体的に制御部３１は、受信機ＤＲから送信されたアクセス情報を通信部３３を介して受信し、これを集計ＤＢ３２１に記録するとともに、例えば、アクセス情報に示される商品ごとに、受信されたアクセス数をカウントすること等により集計処理を行い、集計ＤＢ３２１に記録する。
【００８３】
なお、集計処理プログラム等は、例えば、ネットワークＮＷを介して他のサーバ等からダウンロードされるようにしても良いし、ＣＤ−ＲＯＭ等の記録媒体に記録されてドライブを介して読み込まれるようにしても良い。
【００８４】
［１．５  アクセス数集計システムＳの動作］
次に、アクセス数集計システムＳの動作について説明する。
【００８５】
図６は、第１実施形態に係る受信機ＤＲの処理の一例を示すフローチャートであり、図７は、ＰＰ対象商品の関連情報がテレビモニタＴＶの画面に表示される様子の一例を示す図である。
【００８６】
放送局ＢＣにおいて、映像音声データ制作装置１から出力された番組データは、映像音声データエンコーダ２により圧縮符号化され、映像音声ストリームとして多重化装置５に供給される。
【００８７】
一方、コンテンツデータは、データ放送制作装置３から出力され、放送エンコーダ４により圧縮符号化され、データ放送ストリームとして多重化装置５に供給される。
【００８８】
多重化装置５に供給された映像音声ストリームとデータ放送ストリームは、ここで多重化され、トランスポートストリームとして出力される。
【００８９】
そして、このトランスポートストリームは、変調装置６により変調され、送信装置７により放送波信号として送信される。
【００９０】
この放送波信号は、放送衛星ＳＴを介して受信機ＤＲにより受信されるが、コンテンツデータは、上述したようにデータ・カルーセル伝送方式等により繰り返し伝送されるため、受信機ＤＲは、ＰＰ広告用ＢＭＬテキスト及びＰＰ広告商品情報を任意のタイミングで受信することができる。
【００９１】
受信機ＤＲにおいては、同調復調部１１により、放送波信号から特定のトランスポートストリームが選択、復調された後、ＴＳデコーダにより、個別のストリームに分離され、音声ストリームについては音声データデコーダ１３に、映像ストリームについては映像データデコーダ１４に、データ放送ストリームについてはＣＰＵ１５に夫々供給される。
【００９２】
音声ストリームは、音声データデコーダ１３により復号され、テレビモニタＴＶのスピーカにより出力される。
【００９３】
映像ストリームは、映像データデコーダ１４により復号され、本線放送の映像信号として映像合成部２０に供給される。
【００９４】
データ放送ストリームは、ＣＰＵ１５により復号され、各種データに分離された後、作業用メモリ１８に記憶され、この作業用メモリ１８に記憶されたＢＭＬテキストが必要に応じて解釈実行されることによりデータ放送用の画像データが出力され、グラフィックコントローラ１９によりデータ放送用の映像信号として映像合成部２０に供給される。
【００９５】
そして、映像合成部２０に供給された本線放送の映像信号とデータ放送用の映像信号は、ここで合成され、テレビモニタＴＶの画面に表示される。
【００９６】
このとき、ＰＰ広告対象番組が放送局ＢＣにより放送され、受信機ＤＲにおいて受信されると、受信機ＤＲのＣＰＵ１５は、作業用メモリ１８に記憶されたＰＰ広告用ＢＭＬテキストを読み出し実行することにより、図６に示す処理を行う。
【００９７】
先ず、ＣＰＵ１５は、図７（ａ）に示すように、ポインタ１０１を、本線放送の映像に重畳してテレビモニタＴＶの画面に表示させる（ステップＳ１）。
【００９８】
そして、ＣＰＵ１５は、入出力部２１を介して、ユーザによるテレビリモコンの操作内容を指示信号として入力し（ステップＳ２）、上下左右ボタンのいずれかが押されたか否かを判定する（ステップＳ３）。
【００９９】
ここで、上下左右ボタンのいずれかが押された場合（ステップＳ３：ＹＥＳ）、ＣＰＵ１５は、押されたボタンに応じてポインタ１０１の位置情報を変更し（ステップＳ４）、変更後の位置にポインタ１０１を再表示させる（ステップＳ１）。
【０１００】
上下左右ボタンのいずれも押されていない場合（ステップＳ３：ＮＯ）、ＣＰＵ１５は、決定ボタンが押されたか否かを判定し、押されていない場合は（ステップＳ４：ＮＯ）、ステップＳ１に移行し、押された場合は（ステップＳ４：ＹＥＳ）、ステップＳ６に移行する。
【０１０１】
ステップＳ６において、ＣＰＵ１５は、ポインタ１０１の位置と現在時刻を検出し、対応する商品をＰＰ広告商品情報から検索する。
【０１０２】
次いで、ＣＰＵ１５は、対応する商品があるか否かを判定し（ステップＳ７）、対応する商品が存在しない場合は（ステップＳ７：ＮＯ）、ステップＳ１に移行し、対応する商品が存在する場合は（ステップＳ７：ＹＥＳ）、その商品の関連情報を本線放送の映像に重畳してテレビモニタＴＶの画面に表示させる（ステップＳ８）。
【０１０３】
例えば、図７（ｂ）に示すように、ユーザがリモコン操作によりポインタ１０１をテレビモニタＴＶの画面上の椅子まで移動させた後に、決定ボタンを押すと、図７（ｃ）に示すように、吹き出し１０２にて、椅子の関連情報が表示される。
【０１０４】
そして、ＣＰＵ１５は、ユーザが指定した商品の商品名、現在時刻を含むアクセス情報（例えば、１９６０年ＡＡＡ社製アンティークチェア，２２：１０：００）をＮｖＲＡＭ１７に記憶し（ステップＳ９）、更にはこのアクセス情報を、ネットワークＮＷを介してアクセス数集計サーバに送信する（ステップＳ１０）。
【０１０５】
アクセス情報を受信したアクセス数集計サーバＴＳは、これを記録し、集計処理等を行う。
【０１０６】
以上説明したように、本実施形態によれば、受信機ＤＲが、放送局ＢＣから放送されたＰＰ広告対象の映像情報を同調復調部１１により受信し、映像情報に含まれる任意の商品の関連情報、表示位置（左、上、右、下）、出現開始時刻及び出現終了時刻から構成されるＰＰ広告商品情報をＮｖＲＡＭ１７に記憶し、ユーザのリモコン操作により、入出力部２１を介して指定された任意の位置及び当該位置が指定された時の現在時刻を検出し、検出された位置及び現在時刻に対応してテレビモニタＴＶの画面上に表示されている商品を、ＰＰ広告商品情報から検索し、対応する商品が存在する場合には、その関連情報をテレビモニタＴＶの画面上に表示させる。
【０１０７】
従って、テレビモニタＴＶの画面に表示されている本線映像上の任意の商品を視聴者が指定することがテレビ放送において可能となる。
【０１０８】
そして、視聴者がＰＰ広告対象の商品を認識し、その商品の情報を知りたい場合には、これをユーザが指定することにより、関連情報が表示されるので、別途視聴者が関連情報を調べる必要がなく、他方、視聴者がＰＰ広告対象の商品を認識しないか、あるいは、本線放送に集中したいような場合等には、関連情報が表示されないので、本線放送であるドラマや映画等の雰囲気を壊すことがない。このように、本実施形態によれば、ＰＰ広告対象の商品の関連情報を必要に応じて表示させることができるのである。
【０１０９】
また、受信機ＤＲは、放送局から放送されたＰＰ広告商品情報及びＰＰ広告用ＢＭＬテキストを自動的に受信するようにしているので、ユーザ自身で、これらをインストールするという手間を省くことができる。
【０１１０】
また、受信機ＤＲは、ユーザにより指定された商品についてのアクセス情報をアクセス数集計サーバＴＳに送信し、このアクセス情報をアクセス数集計サーバＴＳにより受信し、集計されるので、ＰＰ広告による宣伝効果を数量的に計測することが可能となる。
【０１１１】
［２．第２実施形態］
次に、衛星デジタルテレビ放送におけるＰＰ広告の対象商品の情報提供システムに対して本願発明を適用した場合の実施形態について説明する。
【０１１２】
［２．１  情報提供システムＳ１の構成及び機能概要等］
先ず、本実施形態に係る情報提供システムＳ１の構成及び機能概要等について説明する。
【０１１３】
図８は、第２実施形態に係る情報提供システムＳ１の概要構成の一例を示す図であり、同図において、第１実施形態に係るアクセス数集計システムＳと同様の構成要素については同様の部材番号を付している。
【０１１４】
図８に示すように、情報提供システムＳ１は、放送局ＢＣと、表示装置としての受信機ＤＲ及びテレビモニタＴＶと、提供要求サーバとしてのアクセス数集計サーバＴＳと、情報提供サーバとしてのメールサーバＭＳと、端末装置としての携帯端末Ｔ１及び固定端末Ｔ２と、により構成されており、第１実施形態の場合と同様に、放送局ＢＣから放送される本線放送及びデータ放送の映像は、放送衛星ＳＴを介して受信機ＤＲに受信され、テレビモニタＴＶの画面に表示される。
【０１１５】
また、受信機ＤＲ、アクセス数集計サーバＴＳ、メールサーバＭＳ、携帯端末Ｔ１及び固定端末Ｔ２は第１ネットワーク及び第２ネットワークとしてのネットワークＮＷにより接続されており、例えば、通信プロトコルにＴＣＰ／ＩＰ（Transmission Control Protocol/Internet Protocol）を用いて、相互にデータの送受信が可能である。
【０１１６】
なお、受信機ＤＲとアクセス数集計サーバＴＳとは、ネットワークＮＷとは別に、例えば、専用回線等により接続されても良いし、アクセス数集計サーバＴＳとメールサーバＭＳとは、例えば、ＬＡＮ（Local Area Network）等により接続されても良い。
【０１１７】
第１実施形態においては、受信機ＤＲにより、ユーザにより指定された商品の関連情報をテレビモニタＴＶに表示していたが、本実施形態においては、関連情報を表示するのではなく、この関連情報を含む内容の電子メール（以下、関連情報メールと称する。）をメールサーバＭＳにより配信し、視聴者が利用する携帯端末Ｔ１または固定端末Ｔ２が、この電子メールを受信することにより、商品の関連情報を確認することができるようになっている。
【０１１８】
そこで、本実施形態における商品の関連情報は、メールサーバＭＳにより管理することとし、ＰＰ広告商品情報に関連情報を含めないこととした。
【０１１９】
受信機ＤＲの構成及び機能は、基本的に第１実施形態の場合と同様であるが、ＮｖＲＡＭ１７には、メールサーバＭＳが関連情報メールを送信する宛先である視聴者の電子メールアドレスが予め記憶されている。
【０１２０】
そして、受信機ＤＲにより送信されるアクセス情報には、商品名、現在時刻に加えてこの電子メールアドレスが含まれる。
【０１２１】
この電子メールアドレスは、例えば、視聴者により電子メールアドレスを登録させるＢＭＬテキストを放送局ＢＣから送信し、ＣＰＵ１５が解釈実行することにより記憶される。
【０１２２】
アクセス数集計サーバＴＳの構成は第１実施形態の場合と同様であり、受信機ＤＲから送信されたアクセス情報を記憶、集計する。
【０１２３】
更に、アクセス数集計サーバＴＳは、受信したアクセス情報に示される商品名及び電子メールアドレスを含むメール配信要求（本発明に係る情報提供要求の一例）をメールサーバＭＳに送信する。
【０１２４】
［２．２  メールサーバＭＳの構成及び機能］
次にメールサーバＭＳの構成及び機能を説明する。
【０１２５】
図９は、第２実施形態に係るメールサーバＭＳの概要構成の一例を示すブロック図である。
【０１２６】
メールサーバＭＳは、図９に示すように、ＣＰＵ、ＲＡＭ、ＲＯＭ等を備える制御部４１と、各種プログラム（例えば、情報提供処理プログラム等）及びデータ等を記憶する記憶部４２と、ネットワークＮＷに接続して受信機ＤＲとの通信状態を制御する通信部４３（例えば、ネットワークアダプタ等）と、を備え、システムバス４４を介して相互に接続されている。
【０１２７】
記憶部４２は、商品ＤＢ（データベース）４２１を有している。商品ＤＢ４２１には、ＰＰ広告対象商品の関連情報が、その商品に対応付けて記録されている。
【０１２８】
なお、商品ＤＢ４２１は、メールサーバＭＳが直接備えるのではなく、ネットワークＮＷを介してメールサーバＭＳに接続されたデータベースサーバに備えられていても良い。
【０１２９】
制御部４１は、ＣＰＵが、ＲＯＭまたは記憶部４２に記憶された各種プログラムを読み出し実行することにより、メールサーバＭＳの各部を統括制御するとともに、本実施形態に係る記憶手段、受信手段、提供手段等として機能するようになっている。
【０１３０】
具体的に制御部４１は、アクセス数集計サーバＴＳから送信されたメール配信要求を、通信部４３を介して受信し、このメール配信要求に含まれる商品名に対応する関連情報を商品ＤＢ４２１から取得する。
【０１３１】
そして、制御部４１は、商品名及び関連情報の内容を含む関連情報メールを、例えば、通信プロトコルにＳＭＴＰ（Simple Mail Transfer Protocol）等を用いて、メール配信要求に含まれる電子メールアドレスを管理する図示しない他のメールサーバに対して関連情報メールを送信することにより、メールサーバＭＳは、携帯端末Ｔ１または固定端末Ｔ２に関連情報を提供するのである。
【０１３２】
なお、情報提供処理プログラム等は、例えば、ネットワークＮＷを介して他のサーバ等からダウンロードされるようにしても良いし、ＣＤ−ＲＯＭ等の記録媒体に記録されてドライブを介して読み込まれるようにしても良い。
【０１３３】
［２．３  携帯端末Ｔ１及び固定端末Ｔ２の構成及び機能概要］
次に携帯端末Ｔ１及び固定端末Ｔ２の構成及び機能概要を説明する。
【０１３４】
携帯端末Ｔ１及び固定端末Ｔ２は、視聴者が利用する端末であり、メールサーバＭＳから配信された関連情報メールを受信し、これを表示する。
【０１３５】
具体的には、例えば、通信プロトコルにＰＯＰ３（Post office Protocol）等を用いて、利用者の電子メールアドレスを管理するメールサーバから関連情報メールを受信する。
【０１３６】
携帯端末Ｔ１及び固定端末Ｔ２は、例えば、ＣＰＵ、ＲＡＭ、ＲＯＭ等を備える制御部と、各種プログラム（例えば、メールクライアントプログラム等）及びデータ等を記憶する記憶部と、ネットワークＮＷに接続して通信状態を制御する通信部（例えば、ネットワークアダプタ等）と、文字や画像等の情報を表示する表示部（例えば、液晶ディスプレイ等）と、ユーザからの操作指示を受け付ける操作部（例えば、操作ボタン、キーボード、マウス等）と、により構成されている。
【０１３７】
携帯端末Ｔ１としては、例えば、携帯電話機、ＰＤＡ（Personal Digital Assistant）等が適用可能であり、固定端末Ｔ２としては、例えば、パーソナルコンピュータ等が適用可能である。
【０１３８】
［２．４  情報提供システムＳ１の動作］
次に、情報提供システムＳ１の動作について説明する。
【０１３９】
第１実施形態と同様にして放送波信号が放送局ＢＣにより送信され、受信機ＤＲにより受信されてテレビモニタＴＶの画面に本線放送の映像、データ放送の映像が表示される。
【０１４０】
ここで、ＰＰ広告対象番組が放送局ＢＣにより放送され、受信機ＤＲにおいて受信されると、受信機ＤＲのＣＰＵ１５は、作業用メモリ１８に記憶されたＰＰ広告用ＢＭＬテキストを読み出し実行することにより、第１実施形態の場合と同様の処理を行うが（図７）、ステップ８における関連情報の表示は行わず、ステップ１０において、利用者の電子メールアドレスを含むアクセス情報をアクセス数集計サーバＴＳに送信する。
【０１４１】
アクセス情報を受信したアクセス数集計サーバＴＳは、これを記録し、集計処理等を行い、更に、アクセス情報に示される商品名及び電子メールアドレスを含むメール配信要求をメールサーバＭＳに送信する。
【０１４２】
メール配信要求を受信したメールサーバＭＳは、このメール配信要求に含まれる商品名に対応する関連情報を商品ＤＢ４２１から取得し、商品名及び関連情報等からなる関連情報メールを、メール配信要求に含まれる電子メールアドレスを管理する図示しない他のメールサーバに対して関連情報メールを送信する。
【０１４３】
他のメールサーバは、受信した関連情報メールを、電子メールアドレスが示す視聴者のメールボックス等に保存しておき、携帯端末Ｔ１または固定端末Ｔ２からの要求に応じて、関連情報メールを送信し、これらの端末により関連情報メールの内容が表示される。
【０１４４】
以上説明したように、本実施形態によれば、受信機ＤＲが、放送局ＢＣから放送されたＰＰ広告対象の映像情報を同調復調部１１により受信し、ＣＰＵ１５により、映像情報に含まれる任意の商品の表示位置（左、上、右、下）、出現開始時刻及び出現終了時刻から構成されるＰＰ広告商品情報を作業用メモリ１８に記憶し、ユーザのリモコン操作により、入出力部２１を介して指定された任意の位置及び当該位置が指定されたときの現在時刻を検出し、検出された位置及び現在時刻に対応してテレビモニタＴＶの画面上に表示されている商品を、ＰＰ広告商品情報から検索し、対応する商品が存在する場合には、ユーザにより指定された商品についてのアクセス情報をアクセス数集計サーバＴＳに送信し、アクセス数集計サーバＴＳが、受信したアクセス情報に基づいて、ユーザにより指定された商品の関連情報メールの配信要求をメールサーバＭＳに送信し、メールサーバＭＳは、受信したメール配信要求に含まれる商品情報に対応する関連情報を商品ＤＢ４２１から取得し、この関連情報を含む関連情報メールを携帯端末Ｔ１または固定端末Ｔ２に配信する。
【０１４５】
従って、第１実施形態に係るアクセス数集計システムＳの動作による効果と同様の効果に加えて、ＰＰ広告対象商品の関連情報が、電子メールという形で、携帯端末Ｔ１または固定端末Ｔ２に記憶されるので、本線放送が終了した後も、商品の関連情報を自由に確認することが可能となる。
【０１４６】
なお、本実施形態においては、アクセス数の集計と関連情報メールの配信とを、夫々別々のサーバ（アクセス数集計サーバＴＳ、メールサーバＭＳ）で処理するように構成しているが、一つのサーバにより処理するように構成しても良い。
【０１４７】
また、受信機ＤＲにおいては、ユーザにより指定された商品の関連情報をテレビモニタＴＶに表示させるようにしても良い。
【０１４８】
また、本実施形態においては、ＳＴＭＰ、ＰＯＰ３等の通信プロトコルを用いた電子メール形式による関連情報の提供を行っているが、これに限られるものではなく、例えば、ＨＴＴＰを用いて、ＨＴＭＬ（Hyper Text Markup Language）形式による関連情報の提供を行うように構成しても良い。
【０１４９】
また、上述した各実施形態においては、表示装置を受信機ＤＲ及びテレビモニタＴＶにより構成しているが、これに限られるものではなく、例えば、受信機とテレビモニタが一体となったチューナー内蔵テレビ等で構成しても良い。
【０１５０】
また、各実施形態においては、本願発明を、衛星デジタルテレビ放送に適用しているが、これに限られるものではなく、例えば、地上波デジタルテレビ放送等に適用しても良い。
【０１５１】
また、テレビ放送ではなく、ＤＶＤ等の記録媒体に、ＰＰ広告対象の映像データ及びデータ放送と同様のコンテンツデータを記録しておき、再生装置等により、この記録媒体から映像データを再生、表示するとともに、コンテンツデータを再生することにより、ＰＰ広告対象商品の関連情報を表示させるように構成しても良い。
【０１５２】
また、各実施形態においては、本願発明を、ＰＰ広告に適用しているが、これに限られるものではない。例えば、映像情報上に表示された人物のプロフィールを表示させるようにしても良いし、映像情報上に表示された建造物や名所、旧跡等の案内情報を表示させるようにしても良い。
【図面の簡単な説明】
【０１５３】
【図１】第１実施形態に係るアクセス数集計システムＳの概要構成の一例を示す図である。
【図２】第１実施形態に係る放送局ＢＣの概要構成の一例を示すブロック図である。
【図３】ＰＰ広告商品情報の内容の一例を示す図である。
【図４】第１実施形態に係る受信機ＤＲの概要構成の一例を示すブロック図である。
【図５】第１実施形態に係るアクセス数集計サーバＴＳの概要構成の一例を示すブロック図である。
【図６】第１実施形態に係る受信機ＤＲの処理の一例を示すフローチャートである。
【図７】ＰＰ対象商品の関連情報がテレビモニタＴＶの画面に表示される様子の一例を示す図である。
【図８】第２実施形態に係る情報提供システムＳ１の概要構成の一例を示す図である。
【図９】第２実施形態に係るメールサーバＭＳの概要構成の一例を示すブロック図である。
【符号の説明】
【０１５４】
１  映像音声データ制作装置
２  映像音声データエンコーダ
３  データ放送制作装置
４  データ放送エンコーダ
５  多重化装置
６  変調装置
７  送信装置
１１  同調復調部
１２  ＴＳデコーダ
１３  音声データデコーダ
１４  映像データデコーダ
１５  ＣＰＵ
１６  ＲＡＭ
１７  ＮｖＲＡＭ
１８  作業用メモリ
１９  グラフィックコントローラ
２０  映像合成部
２１  入出力部
２２  モデム
２３、３４、４４  システムバス
３１、４１  制御部
３２、４２  記憶部
３３、４３  通信部
３２１  集計ＤＢ
４２１  商品ＤＢ
ＢＣ  放送局
ＤＲ  受信機
ＴＶ  テレビモニタ
ＴＳ  アクセス数集計サーバ
ＭＳ  メールサーバ
Ｔ１  携帯端末
Ｔ２  固定端末
ＮＷ  ネットワーク
ＳＴ  放送衛星
Ｓ  アクセス数集計システム
Ｓ１  情報提供システム
【図１】
2007096866.tif 000003
【図２】
2007096866.tif 000004
【図３】
2007096866.tif 000005
【図４】
2007096866.tif 000006
【図５】
2007096866.tif 000007
【図６】
2007096866.tif 000008
【図７】
2007096866.tif 000009
【図８】
2007096866.tif 000010
【図９】
2007096866.tif 000011